(57)【特許請求の範囲】
【請求項１】
メカ本体と、
前記メカ本体に設けられ、第１方向で移動可能に構成されるトレイと、
前記メカ本体の内部に設けられ、第２方向で移動可能に構成され、前記トレイの移動に応じて、当該トレイに係合された第１状態と当該係合から開放された第２状態との間を遷移可能なスライドラックと、
前記スライドラックが前記第２状態に遷移した場合、前記スライドラックの第２方向の移動を規制するガイド部と、
を備え、
前記トレイは、第１方向の移動に応じてＯＰＥＮ状態とＣＬＯＳＥ状態の間を遷移可能であり、
前記スライドラックは、前記トレイがＯＰＥＮ状態に遷移した場合、前記第２状態に遷移するように構成され、
前記スライドラックは、前記トレイがＯＰＥＮ状態である場合、前記第１方向の垂直方向で前記トレイと重ならない位置に配置され、前記トレイがＣＬＯＳＥ状態である場合、前記第１方向の垂直方向で前記トレイと重なる位置に配置される、
トレイ装置。
【請求項２】
前記ガイド部は、前記トレイに取り付けられ、当該トレイの第１方向の移動に応じて当該トレイから出入り可能に設けられる、
請求項１に記載のトレイ装置。
【請求項３】
前記トレイは、カム溝を有し、
前記スライドラックは、前記カム溝と係合可能な係合部と、ガイド係合部を有し、
前記ガイド部は、前記ガイド係合部と係合可能な規制部を有する、
請求項１又は２に記載のトレイ装置。
【発明の詳細な説明】
【技術分野】
【０００１】
本発明は、たとえば、所謂ＣＤ（コンパクトディスク）や所謂ＤＶＤ（デジタル・バーサス・ディスク）など、情報記録媒体としてのディスクに情報信号を記録及び／又は記録された情報信号を再生するためのディスク装置に用いられるディスクローディング装置に関する。
【背景技術】
【０００２】
従来、上記のようなディスク装置に用いられるディスクローディング装置として、ＴＲＶを昇降せしめるスライドラックとディスクを移送せしめるトレイの駆動を連続的に切り替え、そのスライドラックの位置規制をトレイの裏面に設けられたカム溝でおこなうように構成したものは、一般的によく知られている。
【０００３】
図１１〜１３に従来実施例の平面図を示す。図１１はディスクの記録／再生状態であり、スライドラック５のラック部５ｄは、駆動ギア６に噛み合い、またトレイ２は裏面のカム溝２ｃとスライドラック５のトレイ係合Ｐｉｎ５ｂによって位置規制されている。このときトレイ２のラック部２ｄは駆動ギア６とは、係合が離脱された状態になっている。
【０００４】
図１２はトレイのＯｐｅｎ指示がでてディスクの着脱位置へトレイ２を移送する途中の状態を示す。このとき駆動ギア６により、スライドラック５はＡ方向に移送されることにより、トレイ２は裏面のカム溝２ｃの軌跡に従い、Ｃ方向に移送される。これにより駆動ギア６がトレイ２裏面のラック部２ｄと噛み合う構成になっている。また、駆動ギア６とスライドラック５のラック部５ｄの噛み合いは、離脱状態となり、スライドラック５は、トレイ係合Ｐｉｎ５ｂによって、位置規制された状態になっている。
【０００５】
図１３はディスク着脱位置での状態を示す。このとき前述のスライドラック５は、図１２同様にトレイ２裏面のカム溝２ｃとスライドラック５のトレイ係合Ｐｉｎ５ｂに契合した状態で、位置規制されている。
【０００６】
なお、本発明に関連する技術として以下のものがある（例えば、特許文献1参照。）。
【特許文献１】特開２０００−１０００５２号公報
【発明の開示】
【発明が解決しようとする課題】
【０００７】
しかしながら、図１１〜１３に示すよう、上記の従来の構成では、トレイ２がＯＰＥＮする際、スライドラック５の位置規制は上記トレイ２に設けられたカム溝２ｃで行っているため、スライドラック５の構成によっては、トレイ２のカム溝２ｃの全長、所謂トレイ２の全長を長く設計しなければならない。従って、図１３に示すトレイ２のＯｐｅｎ量“Ｚ”を確保するには、メカ本体１の奥行き“Ｙ”寸法以上が必要となり、奥行きが大きくなるという課題を有していた。
【０００８】
本発明は上記従来の問題点を解決するもので、構成部品も少なく、装置の奥行きを小型化にできると共に、トレイの強度アップと横幅の小型化をも提供することを目的とするものである。
【課題を解決するための手段】
【０００９】
上記課題を解決するためにトレイ装置は、第１方向で移動可能に構成されるトレイと、第２方向で移動可能に構成され、前記トレイの移動に応じて、当該トレイに係合された第１状態と当該係合から開放された第２状態との間を遷移可能なスライドラックと、前記スライドラックが前記第２状態に遷移した場合、前記スライドラックの第２方向の移動を規制するガイド部と、を備える。
【発明の効果】
【００１３】
本発明のトレイ装置によれば、装置の奥行きを小型にできる。
【発明を実施するための最良の形態】
【００１８】
本発明の実施の形態について、図１から図１０を用いて説明する。なお、図１〜図２は本発明の実施例の全体斜視図、図３は図２状態におけるトレイ／ガイドレール／スライドラックの構成斜視図、図４は図３の裏面からの斜視図、図５〜図１０は本発明の実施形態１におけるディスクローディング装置の構成、及びその動作における状態を示した平面図及び断面図である。
【００１９】
（実施の形態）
まず、図１及び図２は本発明の実施の形態１におけるディスクローディング装置全体の外観図であり、図１はトレイがＣｌｏｓｅした状態であり、所謂ディスクが記録／再生及び待機の位置にある状態である。メカ本体１内にトレイ２が格納された状態である。図２はトレイがＯｐｅｎした状態、所謂ディスクを着脱可能な位置での状態を示したものである。このとき、メカ本体１からは、トレイ２がガイドＲ３とガイドＬ４が連れもって移送し、その一部が突出す構成になっている。
【００２０】
図３は、図２状態における状態斜視図の詳細図であり、また図４はその裏面図である。トレイ２のガイドＬ保持部２ａには、ガイドＬ４のトレイ係合部４ａが係合可能に構成されており、相互に係合可能な範囲で、（Ｅ、Ｆ）方向に移動可能に取り付けられている。また、その対辺側のトレイ２のガイドＲ保持部２ｂには、ガイドＲ３のトレイ係合部３ａが係合可能に構成されており、相互に係合可能な範囲で、ガイドＬ４と同じく（Ｅ、Ｆ）方向に移動可能に取り付けられている。またスライドラック５は、メカ本体１側に（Ａ，Ｂ）方向に移動可能に取り付けられている。図４の裏面図に開示するように、本Ｏｐｅｎ状態に位置するとき、スライドラック５は、スライドラック５のガイドＬ係合部５ｃ（第２の係合部）と、ガイドＬ４のスライドラック規制リブ４ｂとが係合することで、その動作を規制されている。また、光ピックを有する記録／再生装置（本図では省略）は、スライドカム５のカム溝５ａで昇降するよう構成されている。
【００２１】
図５及び図６は、実施の形態を示し、トレイがＣｌｏｓｅしメカ本体内に格納された、所謂ディスクの記録／再生状態にある時のディスクローディング装置の平面図と断面図である。駆動源（本図では省略）からの駆動力を伝達する駆動ギア６は、メカ本体１に回動可能に取り付けられている。この駆動ギア６はスライドカム５のラック部５ｄと噛み合い、スライドラック５を（Ａ，Ｂ）方向に移動するよう構成されている。スライドラック５上に構成されたトレイ係合Ｐｉｎ５ｂは、トレイ２の裏面に設けられたカム溝２ｃに規制されるよう構成されている。このカム溝２ｃによって、任意の位置で、駆動ギア６とスライドラック５のラック５ｄの噛み合わせを、駆動ギア６とトレイ２のラック部２ｄに連続的に切り替えられるよう構成されている。これにより、トレイ２は、駆動ギア６によって（Ｃ，Ｄ）方向に移動可能にメカ本体１に構成されている。
【００２２】
また、図６に開示するように、ガイドＬ４のトレイ係合部４ａ／ガイドＲ３のトレイ係合部３ａは、各々トレイ２のガイドＬ保持部２ａ／ガイドＲ保持部２ｂに保持された構成になっており、前述のように図５状態（Ｃｌｏｓｅ状態）では、ガイドＬ４及び、ガイドＲ３は、トレイ２の外形内に保持収納された状態になっている。
図７及び図８は、実施の形態を示し、トレイ２のＯｐｅｎ指示が出て、トレイ２がディスクの記録／再生（Ｃｌｏｓｅ）位置から着脱位置（Ｏｐｅｎ）に移送される途中で、スライドラック５のトレイ係合Ｐｉｎ（第１の係合部）５ｂが、トレイ２のカム溝２ｃに規制されている状態のディスクローディング装置の平面図と断面図である。
【００２３】
このとき、駆動ギア６はトレイ２のラック部２ｄと噛み合い、トレイを着脱位置へと移送させる構成になっている。従って、本７図状態は、メカ本体１から、トレイ２が突き出し、移送される状態を示す。
【００２４】
また、図８に開示するように、ガイドＬ４のトレイ係合部４ａ／ガイドＲ３のトレイ係合部３ａは、各々トレイ２のガイドＬ保持部２ａ／ガイドＲ保持部２ｂに保持された構成になっており、前述のように図７状態では、ガイドＬ４及び、ガイドＲ３は、トレイ２の外形内、もしくは、トレイ２の外形から突出した状態になっている。
図９及び図１０は、実施の形態を示し、トレイ２がＯｐｅｎしたとき、所謂ディスクの着脱位置にある時、スライドラック５のガイドＬ係合部（第２の係合部）５ｃがガイドＬ４のスライドラック規制リブ４ｂに規制されているときのディスクローディング装置の平面図と断面図である。
【００２５】
駆動源（本図では省略）からの駆動力を伝達する駆動ギア６は、図７／８状態と同じく、トレイ２のラック部２ｄと噛み合うよう構成されている。しかし、図７／８状態とは違って、スライドラック５上に構成されたトレイ係合Ｐｉｎ５ｂは、トレイ２の移送によって、トレイ２の裏面に設けられたカム溝２ｃからの規制が解除された状態であり、スライドラック５は、スライドラック５上に構成されたガイドＬ係合部（第２の係合部）５ｃとガイドＬ４のスライドラック規制リブ４ｂによって規制されるよう構成されている。
【００２６】
また、図６に開示するように、ガイドＬ４のトレイ係合部４ａ／ガイドＲ３のトレイ係合部３ａは、各々トレイ２のガイドＬ保持部２ａ／ガイドＲ保持部２ｂに保持された構成になっており、ガイドＬ４及び、ガイドＲ３は、トレイ２の外形から突き出した状態で一部をメカ本体内に収納した状態になっている。同じくトレイ２もメカ本体１から突き出し、一部はメカ本体１内に収納している。
【００２７】
以上のように構成されたディスクローディング装置について、以下その動作を説明する。
説明は、図５のディスク記録／再生状態から、図９のディスク着脱位置にトレイ２が移送されるまでの状態変化を説明する。また、この図５、図９位置の途中の状態を図７で示す。
【００２８】
まず、トレイ２にＯｐｅｎ指示が入ると、図示せぬ駆動手段により、駆動ギア６が回動し、スライドラック５を“Ａ”方向に移送する。このとき図示せぬ記録／再生装置が、スライドラック５のディスク記録再生装置昇降カム溝５ａによって、待避位置へ回動移動する。トレイ２の裏面カム溝２ｃは、スライドラック５のトレイ係合Ｐｉｎ５ｂに係合しているため、その軌跡によって、トレイ２は、“Ｃ”方向に押し出される。図７に示すよう、このとき、スライドラック５は、位置がトレイ２のカム溝２ｃで位置規制され、駆動ギア６との噛み合いが隔離された状態で保持されるが、駆動ギア６はトレイ２のラック部２ｄと今度は噛み合った状態となり、駆動ギア６の駆動力で、“Ｃ”方向に移動される状態となる。
さらにトレイ２が進行方向“Ｃ”に移送されると、トレイ２のカム溝２ｃから、スライドラック５のトレイ係合Ｐｉｎ５ｂとの係合が外れる。このときトレイ２上に構成されたガイドＬ４のスライドラック規制リブ４ｂによって、連続的にスライドラック５はメカ本体１上の任意の位置に規制保持された状態になっている。
【００２９】
次にディスク着脱位置である図９状態から、記録／再生位置図５に至る説明をする。前述同様、記録／再生及びトレイ２のＣｌｏｓｅ指示がでると、前述と逆の動作をおこなうこととなる。図９上のトレイ２は、駆動ギア６によって、“Ｄ”方向のメカ本体１内へ引き込まれている。このときスライドラック５は、ガイドＬ４のスライドラック規制リブ４ｂによって位置規制され保持された状態であるが、トレイ２の移送に従ってトレイ２のカム溝２ｃへと保持規制が連続的に受け渡されていく。さらにトレイ２が図５状態へ移送されていくと、トレイ２は任意の位置で停止し、この課程でスライドラック５は、トレイ２裏面のカム溝２ｃと噛み合うトレイ係合Ｐｉｎ５ｂによって、駆動ギア６と噛み合い、スライドラック５を“Ｂ”方向に移送させ、ディスクを記録再生状態にせしめることとなる。このときトレイ２上に構成されたガイドＬ４／ガイドＲ３は、メカ本体内で、トレイ２の外形内に収納された状態となるため、図５に示す、メカ本体奥行き“Ｘ”でメカの構成を行うことができる。従って従来例図１１に示す奥行き“Ｙ”よりも、小さく構成することができることとなる。
【産業上の利用可能性】
【００３０】
本発明にかかるディスクローディング装置は、たとえば、所謂ＣＤ（コンパクトディスク）や所謂ＤＶＤ（デジタル・バーサス・ディスク）など、情報記録媒体としてのディスクに情報信号を記録及び／又は記録された情報信号を再生するためのディスク装置に有用であり、特に奥行きの小型化を要求されるディスク装置に適している。
【図面の簡単な説明】
【００３１】
【図１】実施の形態における、ディスクローディング装置のトレイＣｌｏｓｅ状態の斜視図
【図２】実施の形態における、ディスクローディング装置のトレイＯｐｅｎ状態の斜視図
【図３】実施の形態を示し、図２状態におけるトレイとガイドレールとスライドラックの状態斜視図
【図４】実施の形態を示し、図３の裏面からの斜視図
【図５】実施の形態を示し、トレイがＣｌｏｓｅしメカ本体内に格納された、所謂ディスクの記録／再生状態にある時のディスクローディング装置の平面図
【図６】実施の形態を示し、図５状態におけるトレイとガイドレールとスライドラックの断面図
【図７】実施の形態を示し、トレイがＣｌｏｓｅ位置からＯｐｅｎする途中で、スライドラックの第１の凸部がトレイに規制されている状態のディスクローディング装置の平面図
【図８】実施の形態を示し、図７状態におけるトレイとガイドレールとスライドラックの断面図
【図９】実施の形態を示し、トレイがＯｐｅｎしたとき、所謂ディスクの着脱位置にある時、スライドラックの第２の凸部がガイドレールに規制されているときのディスクローディング装置の平面図
【図１０】実施の形態を示し、図９状態におけるトレイとガイドレールとスライドラックの断面図
【図１１】従来実施例を示し、トレイがＣｌｏｓｅしメカ本体内に格納された、所謂ディスクの記録／再生状態にある時のディスクローディング装置の平面図
【図１２】従来実施例を示し、トレイがＣｌｏｓｅ位置からＯｐｅｎする途中で、スライドラックの第１の凸部がトレイに規制されている状態のディスクローディング装置の平面図
【図１３】従来実施を示し、トレイがＯｐｅｎしたときのディスクローディング装置の平面図
【符号の説明】
【００３２】
１    本体外形
２    トレイ
２ａ    ガイドＬ保持部
２ｂ    ガイドＲ保持部
２ｃ    カム溝
２ｄ    ラック部
３    ガイドＲ
３ａ    トレイ係合部
４    ガイドＬ
４ａ    トレイ係合部
４ｂ    スライドラック規制リブ
５    スライドラック
５ａ    ディスク記録／再生装置（ＴＲＶ）昇降用カム溝
５ｂ    トレイ係合Ｐｉｎ（第１の係合部）
５ｃ    ガイドレールＬ係合部（第２の係合部）
６    駆動ギア
【図１】
0004656033.tif 000002
【図２】
0004656033.tif 000003
【図３】
0004656033.tif 000004
【図４】
0004656033.tif 000005
【図５】
0004656033.tif 000006
【図６】
0004656033.tif 000007
【図７】
0004656033.tif 000008
【図８】
0004656033.tif 000009
【図９】
0004656033.tif 000010
【図１０】
0004656033.tif 000011
【図１１】
0004656033.tif 000012
【図１２】
0004656033.tif 000013
【図１３】
0004656033.tif 000014